(57)【要約】【課題】美感および耐久性に優れたクラブヘッドを提供する。【解決手段】クラブシャフト１の先端に固定された木製のヘッド本体２０と、フェース４０と、金属製のソール３０とを備えたクラブヘッドに関する。ソール３０の上面ないし側面にボス３１がソール３０に一体に形成され、ボス３１には前方ないし斜前方に向って開口する複数のメネジ３２が形成され、ヘッド本体２０の前方から後方の各メネジ３２に向ってねじ込まれた金属製の複数本のオネジ部材２４により、ヘッド本体２０の底部Ｂにソール３０が締結され、オネジ部材２４を挿入する挿入孔２２がヘッド本体２０に当該ヘッド本体２０の前面２０ｆから後方ないし斜後方に向って穿設され、ヘッド本体２０の挿入孔２２がフェース４０で閉塞されたことを特徴とする。【選択図】        図７
2006223324.tif 000002
【特許請求の範囲】
【請求項１】
クラブシャフトの先端に固定された木製のヘッド本体と、前記ヘッド本体の前面に固定されたフェースと、前記ヘッド本体の底部に締結部材により固定された金属製のソールとを備えたクラブヘッドであって、
前記ソールの上面ないし側面にボスが前記ソールに一体に形成され、
前記ボスには前方ないし斜前方に向って開口する複数のメネジが形成され、
前記ヘッド本体の前方から後方の前記各メネジに向ってねじ込まれた金属製の複数本のオネジ部材により、前記ヘッド本体の底部に前記ソールが締結され、
前記オネジ部材を挿入する挿入孔が前記ヘッド本体に当該ヘッド本体の前面から後方ないし斜後方に向って穿設され、前記ヘッド本体の挿入孔が前記フェースで閉塞されたクラブヘッド。
【請求項２】
請求項１において、前記複数のオネジ部材のうち少なくとも１本が前記フェースの上下の中心よりも下方に配置されているクラブヘッド。
【請求項３】
請求項１において、前記フェースの上下の中心よりも下方に配置された前記オネジ部材の重量が、前記フェースの上下の中心ないし中心よりも上方に配置された前記オネジ部材の重量よりも重いクラブヘッド。
【請求項４】
請求項１において、前記複数のオネジ部材の全てが前記フェースの上下の中心よりも下方に配置されているクラブヘッド。
【請求項５】
請求項１において、前記オネジ部材におけるオネジが形成されていない頭部が、前記挿入孔に収容されて前記フェースの裏面の近傍まで設けられているクラブヘッド。
【請求項６】
請求項１ないし５において、前記ソールを構成する金属の比重よりも前記オネジ部材を構成する金属の比重の方が大きいクラブヘッド。
【請求項７】
請求項１において、前記ボスが３個以上設けられ、前記クラブヘッドを平面に投影した図形の中心のヒール側に設けられたボスの数よりもトウ側に設けられたボスの数の方が多いことを特徴とするクラブヘッド。
【請求項８】
請求項１もしくは７において、前記オネジ部材が３本以上設けられ、前記クラブヘッドを平面に投影した図形の中心のヒール側に設けられた全てのオネジ部材の総重量よりもトウ側に設けられた全てのオネジ部材の総重量の方が重いことを特徴とするクラブヘッド。
【請求項９】
請求項１において、前記ボスのうち少なくとも１つのボスが設けられた位置よりも前記ソールの外周縁に近い位置に、前記ソールよりも比重の大きい金属からなる少なくとも１つの錘部が配置されているクラブヘッド。
【請求項１０】
請求項１において、前記ボスの設けられた位置よりも前記ソールの外周縁のトウ側に近い位置に、前記ソールよりも比重の大きい金属からなる錘部が配置されているクラブヘッド。
【発明の詳細な説明】
【技術分野】
【０００１】
本発明は、パークゴルフやグラウンド・ゴルフ（以下、パークゴルフ等という）などのクラブヘッドに関するものである。
【背景技術】
【０００２】
パークゴルフ等で用いるボールは、通常のゴルフボールに比べ重く、かつ、硬い。また、パークゴルフにおいては、シャフトの最小直径が１４mm以上（好ましくは１６mm以上）に設定され、一方、グラウンド・ゴルフではクラブシャフトが木製である。したがって、これらのパークゴルフ等のクラブシャフトは、通常のゴルフクラブシャフトに比べ曲げ剛性が大きいので、打撃時に差程撓まない。そのため、打撃時には、著しく大きな衝撃がクラブヘッドに加わる。一方、パークゴルフ等では、クラブヘッドの主要部（ヘッド本体）が木製であり、ヘッド底面を補強するために、ヘッド底部に金属製のソールを固定したクラブヘッドが用いられている（たとえば、特開２０００−８４１３２号）。
【０００３】
しかし、従来の技術では、金属製のソールの底面からヘッド本体に木ネジをねじ込んで、ソールを固定しており、水分や異物がネジ穴から木部深くに進入し、木材の劣化を促進させる。そのため、前述のような打撃時の大きな衝撃が繰り返し加わることにより、木ネジが脱落することがある。また、打撃時にソールの底面が地面に接触すると、ソールに後方に脱落しようとする力が加わる上、木ネジに直接衝撃が加わり、木ネジやその周囲の部分が損傷し易い。こうした理由から、従来のクラブヘッドは耐久性が低い。
【０００４】
この改善策として、ソールの上面にボスを一体に形成し、前記ボスにヘッド本体の上方からボルトをネジ込んで、ソールとヘッド本体とを締結したクラブヘッドが知られている（特許文献１）。
【特許文献１】特開２００３−２４５３８０号（要約）
【発明の開示】
【０００５】
しかし、前記特許文献１に開示されたクラブヘッドは、前記ボルトを挿入する挿入孔がヘッド本体の上面から下方に向って穿設されているので、クラブヘッドの上面の美感が損なわれる。
【０００６】
また、近年練習場などの設置に伴い、距離を問わず力任せに打撃するプレーヤーもいるため、さらなる耐久性の向上が望まれている。一方、打撃時に生じる衝撃力は、クラブヘッドの前後方向（打球方向）に生じるのに対し、前記特許文献１のクラブヘッドではボルト挿入孔およびボルトが上下に長く配置されているので、繰り返し加わる衝撃力により、前記ボルトの周囲においてヘッド本体が損んでしまうことがあり、そのため、さらなる耐久性の改善が望まれている。
【０００７】
したがって、本発明の目的は、美感および耐久性に優れたクラブヘッドを提供することである。
【０００８】
前記目的を達成するために、本発明のクラブヘッドは、クラブシャフトの先端に固定された木製のヘッド本体と、前記ヘッド本体の前面に固定されたフェースと、前記ヘッド本体の底部に締結部材により固定された金属製のソールとを備えたクラブヘッドであって、前記ソールの上面ないし側面にボスが前記ソールに一体に形成され、前記ボスには前方ないし斜前方に向って開口する複数のメネジが形成され、前記ヘッド本体の前方から後方の前記各メネジに向ってねじ込まれた金属製の複数本のオネジ部材により、前記ヘッド本体の底部に前記ソールが締結され、前記オネジ部材を挿入する挿入孔が前記ヘッド本体に当該ヘッド本体の前面から後方ないし斜後方に向って穿設され、前記ヘッド本体の挿入孔が前記フェースで閉塞されたことを特徴とする。
【０００９】
本発明によれば、オネジ部材を挿入する挿入孔がフェースで閉塞されるから、挿入孔の跡（挿入孔を樹脂で埋めた跡など）が外観に表れないので、美感が向上する。
【００１０】
また、オネジ部材がヘッド本体の前面から後方ないし斜後方に向って延びているので、オネジ部材による軸力（ヘッド本体とソールの締結方向）の生じる方向と、打撃時の衝撃荷重の生じる方向とが一致し易い。しかも、オネジ部材を挿入する挿入孔の延びる方向と前記荷重方向とが一致し易い。そのため、クラブヘッドの耐久性が向上する。
【００１１】
また、前記挿入孔はヘッド本体の前面から後方ないし斜め後方に向って穿設されており、前記ヘッド本体は一般に平坦であるから、前記挿入孔をドリルなどの加工具で穿設する作業を容易かつ確実に行うことができる。
【００１２】
本発明においては、オネジ部材が前後方向に沿って配置されるから、フェースの上下の中心よりも下方に前記オネジ部材を配置することができる。このように、金属製のオネジ部材を下方に配置することにより低重心化が図られる。
なお、低重心化を図ることにより、ボールをクラブヘッドの重心付近で捕らえることが可能となる。
【００１３】
本発明の好的な実施例においては、オネジ部材の頭部が前記フェースの裏面の近傍まで設けられている。これにより、重い頭部の重量がヘッドの外周近傍に配置されるから、慣性モーメントの増大を図り得ると共に、前記挿入孔に充填する接着剤を少なくすることができる。
【００１４】
本発明の好的な実施例では、前記ボスやオネジ部材をトウ側に片寄って配置することにより、ヘッドの重心をトウ側に移動させることができる。打撃時にシャフトの回りにクラブヘッドが回転するのであるが、前記トウ側への重心移動により、打撃時のボールに対するヘッドの速度が増大する。
【００１５】
なお、前記ボスよりもソールの外周縁やトウ側に近い位置に錘部を設けることにより、更なる慣性モーメントの増大やトウ側への重心移動を図ることができる。
【実施例】
【００１６】
以下、本発明の一実施例を図面にしたがって説明する。
図１に示すように、パークゴルフ用のクラブシャフト１の先端にはクラブヘッド２が固定されている。
【００１７】
図２は前記クラブヘッド２の分解斜視図である。
図２に示すように、前記クラブヘッド２は、クラブシャフト１（図１）の先端に固定される木製のヘッド本体２０、該ヘッド本体２０の底部Ｂに固定される金属製のソール３０および前記ヘッド本体２０の前面２０ｆに固定されるフェース４０を備えている。プレイヤーは、図１のクラブを振って、クラブヘッド２を前後方向Ｘに振り抜き、フェース４０の前面４０ｆでボールを打撃する。
【００１８】
まず、ヘッド本体２０とソール３０との関係について説明する。
図３に示す前記ソール３０は、たとえば１０ｍｍ以上の深さを持つ椀状に形成されており、前記ヘッド本体２０の底部Ｂの概ね全面を覆っている。前記ソール３０の上面には、上方に向って突出する複数のボス３１が一体形成されている。前記各ボス３１は、クラブヘッド２の重心Ｇ（図８）から離れた位置に設けられている。なお、前記各ボス３１はソール３０の周囲の側面に一体に設けられていてもよい。
【００１９】
図５および図６はクラブヘッド２を底面側から見た分解斜視図である。図５に示すように、前記ヘッド本体２０の底部Ｂには、前記各ボス３１（図３）に対応する位置に係合孔２１が、それぞれ形成されている。
【００２０】
図７（ａ）は前記ボス３１付近の縦断面図である。
図７（ａ）に示すように、前記係合孔２１にボス３１が挿入されており、前記係合孔２１とボス３１との間には、接着剤３５が充填されている。したがって、係合孔２１の内側面２１ｆとボス３１の外側面３１ｆとは、接着剤３５を介してヘッド２を振り抜く前後方向Ｘに、互いに隙間なくしっかりと係合している。
【００２１】
図３に示すように、前記各ボス３１には、メネジ３２が形成されている。前記メネジ３２は、前方に向って開口していると共に、前後方向Ｘにボス３１を貫通している。一方、前記ヘッド本体２０の前面２０ｆには、図７（ａ）の前記メネジ３２に螺合する締結ボルト２４（オネジ部材）を挿入するネジ挿入孔２２が穿孔されている。前記ネジ挿入孔２２から金属製の前記締結ボルト２４が前記メネジ３２にねじ込まれることにより、ヘッド本体２０の底部にソール３０が締結されている。
【００２２】
なお、ネジ挿入孔２２は、ヘッド本体２０の前面２０ｆにおいて開口しているが、クラブヘッド２の後方についてはソール３０やヘッド本体２０で覆われている。
【００２３】
ここで、ネジ挿入孔２２は、ヘッド本体２０の前面２０ｆから後方に向って穿設されており、また、前記締結ボルト２４は、ヘッド本体２０の前面２０ｆから後方のメネジ３２との間で、ヘッド本体２０をソール３０に締結している。したがって、木製のヘッド本体２０に締結ボルト２４を挿入するネジ挿入孔２２を上下方向に形成する必要がない上、打撃時にソール３０とヘッド本体２０との間に働く力の方向に、締結ボルト２４の軸力が働く方向と一致しているので、ヘッド本体２０の耐久性が向上する。
【００２４】
また、図６（ｂ）の前記フェース４０で覆われるヘッド本体２０の前面２０ｆは平坦に加工されているから、前記ネジ挿入孔２２をヘッド本体２０に穿設する作業は、ヘッド本体２０の上方、下方または後方から孔を明けるのに比べ、著しく容易、かつ、確実になる。
【００２５】
かかる観点から、フェース４０の前面４０ｆに直交する軸線Ｌに対し、前記ネジ挿入孔２２や締結ボルト２４の軸線が３０°程度まで（好ましくは１５°程度まで）傾いていてもよい。すなわち、ネジ挿入孔２２は若干斜め後方に向って穿設されていてもよく、この場合、図３のネジ挿入孔２２は斜め前方に向って開口する。
【００２６】
図２において、前記各締結ボルト２４は、フェース４０の中心Ｆｏを通る水平線Ｌｈよりも下方に配置されている。そのため、重い各締結ボルト２４によりクラブヘッド２の低重心化を図ることができる。なお、フェース４０の中心Ｆｏとはフェース４０の外形線により形成される図形の中心（図心）をいう。
【００２７】
かかる観点から、全ての締結ボルト２４を前記水平線Ｌｈよりも下方に配置するのが最も好ましい。しかし、かかる低重心化は、前記フェース４０の上下の中心Ｆｏよりも下方に配置された前記締結ボルト２４の重量が、前記フェース４０の上下の中心Ｆｏないし中心Ｆｏよりも上方に配置された前記締結ボルトの重量よりも重ければ、ある程度図られる。
【００２８】
図８（ａ）において、点Ｇはクラブヘッド２の実際の重心であり、点Ｏはクラブヘッド２を平面に投影した図形の中心（図心）である。図７（ｂ）の前記クラブヘッド２の重心Ｇを通る鉛直線Ｖのまわりの慣性モーメントＩG を大きくすることで、いわゆるスイートエリアの増大が図られる。
【００２９】
一方、図１の前記クラブシャフト１の軸線Ｓのまわりの慣性モーメントＩS を大きくすることで、打撃時のボールに対するヘッドの速度が増大する。すなわち、打撃時に図１のシャフト１の軸線Ｓの回りにクラブヘッド２が回転するのであるが、トウ側Ｔへの重心移動により、前記慣性モーメントＩS が大きくなって、打撃時のボールに対するヘッドの速度が増大する。
【００３０】
なお、クラブシャフト１の先端部１１は、図２のヘッド本体２０のシャフト挿入孔２９に固く嵌合されている。
【００３１】
本実施例において、図７（ａ）の前記オネジ部材２４におけるオネジ２４ｓが形成されていない頭部２４ｈは、前記挿入孔２２に収容されて前記フェース４０の裏面４０ｂの近傍まで設けられている。これにより、重い頭部２４ｈの重量がヘッド２の外周近傍に配置されるから、前記慣性モーメントＩG の増大を図り得ると共に、前記挿入孔２２に充填する接着剤２５が少なくなる。なお、頭部２４ｈには、固着力を高めるため、外周部にローレット加工が施されている。
【００３２】
なお、頭部２４ｈとフェース４０の裏面４０ｂとの間の隙間には、接着剤２５が設けられている。
【００３３】
本実施例においては、図８の前記クラブヘッド２の図形中心Ｏのヒール側Ｈに設けられたボス３１の数よりもトウ側Ｔに設けられたボス３１の数の方が多く、また、前記図形中心Ｏのヒール側Ｈに設けられた締結ボルト２４1 ，２４2 の総重量よりもトウ側Ｔに設けられた締結ボルト２４3 の総重量の方が重い。このように、前記ボス３１や締結ボルト２４をトウ側Ｔに片寄って配置することにより、ヘッドの重心Ｇをトウ側Ｔに移動させることができる。
【００３４】
つぎに、前記慣性モーメントＩG ，ＩS を更に大きくする構造の一例について説明する。
たとえば、図８の前記ソール３０を構成する金属の比重よりも前記締結ボルト２４を構成する金属の比重を大きく設定したり、前記ボス３１の設けられた位置よりも前記ソール３０の外周縁３０ｅのトウ側Ｔに近い位置に、前記ソール３０よりも比重の大きい金属からなる錘部５０を配置することで、前記慣性モーメントＩG ，ＩS の増大が図られる。
【００３５】
前記ソール３０を構成する金属としては、アルミ合金（たとえば、アルミ鋳物）を用いることができ、一方、前記締結ボルト２４および錘部５０を構成する金属としては、黄銅（銅と亜鉛の合金で、いわゆる真鍮）を用いることができる。なお、前記ソール３０や締結ボルト２４としては、他の金属（たとえば、タングステン、チタン合金、マグネシウム合金、銅合金、ステンレス、スチールなど）を用いてもよい。
【００３６】
つぎに、前記錘部５０の構造の一例について説明する。
図８において、前記錘部５０は、前記ソール３０の外周縁３０ｅと前記ボス３１との間に挟まれるような位置に配置されている。
図３の前記ソール３０には概ね上下方向に貫通する貫通孔３３が設けられている。図７（ｂ）のように、貫通孔３３には、前記ソール３０の下面に係合する頭部５１を持つ錘ボルト５２が前記貫通孔３３に挿入されて前記貫通孔３３が閉塞されている。前記錘ボルト５２のオネジ部５３は前記ソール３０の内側の空間に突出している。
前記錘ボルト５２のオネジ部５３には、メネジ部５４を持つ錘ナット５５が螺合している。前記錘ボルト５２および錘ナット５５は前記錘部５０を形成している。
【００３７】
図４（ｂ）の前記錘ナット５５は、正六角形以上の多角柱ないし略円柱形の表面を持っているのが好ましい。図６（ｂ）に示すように、前記錘ナット５５が収容される収容空間Ｓが前記ヘッド本体２０に形成されている。図７（ａ）の前記ヘッド本体２０の収容空間Ｓには、接着剤５６が埋め込まれている。
【００３８】
図６（ｂ）の前記錘ボルト５２の頭部５１には工具を係合可能な被係合部が設けられていない一方で、前記頭部５１とは反対側の図４（ａ）の先端面には工具を係合可能な被係合部（たとえば溝）５７が設けられている。
なお、前記錘ボルト５２およびナット５５は、複数組設けられている。
【００３９】
以上のとおり、図面を参照しながら好適な実施例を説明したが、当業者であれば、本明細書を見て、自明な範囲で種々の変更および修正を容易に想定するであろう。
たとえば、ボスは複数個設けられる必要はなく、クラブヘッドの後部におけるソールの外周部に肉盛りした丘状のボスを設け、この１つの丘状のボスに複数のメネジを形成してもよい。
また、錘部を設ける必要はない。
更に、オネジ部材およびソールの双方を同程度の比重の金属で構成したり、あるいは、オネジ部材よりもソールの方が比重が大きくてもよい。
また、オネジ部材を市販の六角孔付のボルトとすることもできる。
したがって、そのような変更および修正は、請求の範囲から定まる本発明の範囲のものと解釈される。
【産業上の利用可能性】
【００４０】
本発明はパークゴルフの他に、グラウンド・ゴルフやゴルフ系スポーツに適用することができる。
【図面の簡単な説明】
【００４１】
【図１】本発明の一実施例にかかるクラブヘッドを有するパークゴルフ用のクラブの正面図および側面図である。
【図２】同クラブヘッドの分解斜視図である。
【図３】ヘッド本体およびソールを示す分解斜視図である。
【図４】ヘッド本体に錘部が取り付けられる状態を示す斜視図である。
【図５】ソールおよびヘッド本体を底面から見た斜視図である。
【図６】（ａ）はオネジ部材および錘部の配置を示すヘッド本体の斜視図、（ｂ）は底面側から見たクラブヘッドの分解斜視図である。
【図７】（ａ）はソールとヘッド本体の締結構造を示す縦断面図、（ｂ）はソールに対する錘部の取付状態を示す縦断面図である。
【図８】オネジ部材、ボスおよび錘部の配置を示すソールの平面図である。
【符号の説明】
【００４２】
１：クラブシャフト
２：クラブヘッド
２０：ヘッド本体
２２：ネジ挿入孔
２４：締結ボルト（オネジ部材）
２４ｈ：頭部
２４ｓ：オネジ
３０：ソール
３１：ボス
３２：メネジ
４０：フェース
５０：錘部
Ｆｏ：フェースの上下の中心
Ｈ：ヒール側
Ｔ：トウ側
【図１】
2006223324.tif 000003
【図２】
2006223324.tif 000004
【図３】
2006223324.tif 000005
【図４】
2006223324.tif 000006
【図５】
2006223324.tif 000007
【図６】
2006223324.tif 000008
【図７】
2006223324.tif 000009
【図８】
2006223324.tif 000010